(57)【特許請求の範囲】
【請求項１】
コンテンツの再生信号を出力する出力部と、
コンテンツの入力元の選択を受け付ける選択受付部と、
入力元と、コンテンツの自動再生の要否と、を対応付けた自動再生設定データを記憶する記憶部と、
前記選択受付部がコンテンツの入力元の選択を受け付けると、前記自動再生設定データに基づき、今回選択された入力元から入力されているコンテンツについて自動再生の要否を判定する第１の判定処理を行う判定部と、
前記判定部がコンテンツの自動再生を要と判定すると、今回選択された入力元から入力されているコンテンツについて、前記出力部における再生信号の出力を開始する自動再生制御部と、を備え、
前記判定部は、選択された入力元から入力されているコンテンツについて自動再生の要否を、当該コンテンツの再生形態に基づいて判定する第２の判定処理を行い、且つ、前記選択受付部がコンテンツの入力元の選択を受け付けると、今回選択された入力元から入力されているコンテンツについての自動再生の要否の判定を、前記第１の判定処理、または前記第２の判定処理のいずれで行うかを判断する、
コンテンツ再生装置。
【請求項２】
前記記憶部は、前記入力元と、コンテンツの再生形態と、コンテンツの自動再生の要否とを対応付けた前記自動再生設定データを記憶する、請求項１に記載のコンテンツ再生装置。
【請求項３】
前記選択受付部は、前記記憶部が記憶する前記自動再生設定データについて、コンテンツの自動再生の要否の設定変更を受け付ける、請求項１、または２に記載のコンテンツ再生装置。
【請求項４】
前記判定部は、再生形態がエンドレスであるコンテンツであれば、自動再生要と判定する請求項１〜３のいずれかに記載のコンテンツ再生装置。
【請求項５】
前記判定部は、再生が予約されていたコンテンツであれば、自動再生要と判定する、請求項１〜４のいずれかに記載のコンテンツ再生装置。
【請求項６】
コンテンツの入力元の選択を選択受付部で受け付ける選択受付ステップと、
前記選択受付ステップでコンテンツの入力元の選択を受け付けると、記憶部が記憶しているコンテンツの入力元と、コンテンツの自動再生の要否と、を対応付けた自動再生設定データに基づき、今回選択された入力元から入力されているコンテンツについて自動再生の要否を判定する第１の判定処理を行う判定ステップと、
前記判定ステップでコンテンツの自動再生を要と判定すると、今回選択された入力元から入力されているコンテンツについて、出力部における再生信号の出力を開始する自動再生ステップと、を備え、
前記判定ステップは、選択された入力元から入力されているコンテンツについて自動再生の要否を、当該コンテンツの再生形態に基づいて判定する第２の判定処理を行い、且つ、前記選択受付ステップがコンテンツの入力元の選択を受け付けると、今回選択された入力元から入力されているコンテンツについての自動再生の要否の判定を、前記第１の判定処理、または前記第２の判定処理のいずれで行うかを判断する、
コンテンツ再生方法。
【請求項７】
前記記憶部は、前記入力元と、コンテンツの再生形態と、コンテンツの自動再生の要否とを対応付けた前記自動再生設定データを記憶する、
請求項６に記載のコンテンツ再生方法。
【請求項８】
前記選択受付ステップは、前記記憶部が記憶する前記自動再生設定データについて、コンテンツの自動再生の要否の設定変更を受け付ける、
請求項６または７に記載のコンテンツ再生方法。
【請求項９】
前記判定ステップは、再生形態がエンドレスであるコンテンツであれば、自動再生要と判定する請求項６〜８のいずれかに記載のコンテンツ再生方法。
【請求項１０】
前記判定ステップは、再生が予約されていたコンテンツであれば、自動再生要と判定する、請求項６〜９のいずれかに記載のコンテンツ再生方法。
【発明の詳細な説明】
【技術分野】
【０００１】
この発明は、選択した入力元から入力されているコンテンツの再生信号を出力する技術に関する。
【背景技術】
【０００２】
従来、光ディスクを着脱するためのディスクトレイを備えたディスク再生装置には、ディスクトレイが開しているときに、再生キーが操作されると、ディスクトレイを閉した後、ディスクの自動再生を開始する構成のものがあった。この構成では、ディスクトレイを閉する操作と、ディスクに記録されているコンテンツの再生開始にかかる操作と、を個別に行わなくてもよいので、ユーザの操作性の向上が図れる。【０００３】
また、装置本体のコストやデザイン等の観点から、再生キーをフロントパネルに設けていない構成のディスク再生装置がある。この構成のディスク再生装置については、ディスクトレイが開しているときに、予め定めた操作が行われると、ディスクトレイを閉した後、ディスクの自動再生を開始する構成が提案されている（特許文献１参照）。予め定めた操作は、例えばディスクトレイの開閉キーを連続して押下する操作である。【０００４】
さらに、入力元から入力されているコンテンツについて、再生信号を出力するＡＶレシーバ等のコンテンツ再生装置がある。ＡＶレシーバは、ＶＣＲ（ビデオ・カセット・レコーダ）、ディスク再生装置、ＳＴＢ（Set Top Box）、ＤＬＮＡ（Digital Living NetworkAlliance）サーバ（登録商標）、Ｗｅｂサーバ、ＵＳＢ等を、コンテンツの入力元として接続できる。
【先行技術文献】
【特許文献】
【０００５】
【特許文献１】特開２０１０−２７８５７８号公報
【発明の概要】
【発明が解決しようとする課題】
【０００６】
ユーザは、コンテンツを視聴するとき、自動再生を行いたいコンテンツもあれば、自動再生を行いたくないコンテンツもある。【０００７】
例えば、Ｗｅｂサーバが提供しているストリーミングサービスの１つに、楽曲をエンドレスで再生しつづける形態のラジオと呼ばれるコンテンツがある。また、Ｗｅｂサーバが提供しているストリーミングサービスの１つに、登録されている楽曲を再生するアルバム、プレイリスト、およびフォルダ等と呼ばれる形態のコンテンツがある。ユーザが自動再生を行いたいと思うコンテンツは、例えばＢＧＭとして利用するコンテンツであり、ユーザが自動再生を行いたいと思わないコンテンツは、じっくり腰を据えて視聴したいコンテンツである、と推測される。【０００８】
しかしながら、どの形態のコンテンツをＢＧＭとして利用し、どの形態のコンテンツをじっくり腰を据えて視聴したいと思うかは、ユーザの視聴スタイルによって様々である。【０００９】
このようなことから、ＡＶレシーバ等のコンテンツ再生装置に対して、ユーザが自身の視聴スタイルにあわせて、コンテンツの自動再生の要否を設定したい、という要望が強くなってきている。【００１０】
この発明の目的は、簡単な構成で、ユーザが自身の視聴スタイルにあわせて、コンテンツの自動再生の要否を設定することができる、技術を提供することにある。
【課題を解決するための手段】
【００１１】
この発明のコンテンツ再生装置は、上記目的を達するため、以下のように構成している。【００１２】
出力部は、コンテンツの再生信号を出力する。選択受付部は、コンテンツの入力元の選択を受け付ける。コンテンツの入力元は、ＶＣＲ（ビデオ・カセット・レコーダ）、ディスク再生装置、ＳＴＢ（Set Top Box）、ＤＬＮＡ（Digital Living NetworkAlliance）サーバ（登録商標）、Ｗｅｂサーバ、ＵＳＢ等である。【００１３】
記憶部は、コンテンツの入力元と、コンテンツの自動再生の要否と、を対応付けた自動再生設定データを記憶する。判定部は、選択受付部がコンテンツの入力元の選択を受け付けると、自動再生設定データに基づき、今回選択された入力元から入力されているコンテンツについて自動再生の要否を判定する第１の判定処理を行う。自動再生制御部は、判定部がコンテンツの自動再生を要と判定すると、今回選択された入力元から入力されているコンテンツについて、出力部における再生信号の出力を開始する。【００１４】
このように、この構成では、コンテンツの自動再生の要否を、コンテンツの入力元別に設定できる。コンテンツ再生装置は、選択された入力元が、自動再生要を対応付けた入力元であれば、コンテンツの自動再生を行う。また、コンテンツ再生装置は、選択された入力元が、自動再生否を対応付けた入力元であれば、コンテンツの自動再生を行わない。したがって、簡単な構成で、ユーザが自身の視聴スタイルにあわせて、コンテンツの自動再生の要否を設定することができる。また、ユーザの使い勝手も向上される。【００１５】
なお、ここで言うコンテンツの自動再生とは、選択されている入力元から入力されているコンテンツについて、再生開始にかかるユーザの操作を待つことなく、再生を自動的に開始することである。
【発明の効果】
【００１６】
この発明によれば、簡単な構成で、ユーザが自身の視聴スタイルにあわせて、コンテンツの自動再生の要否を設定することができる。
【図面の簡単な説明】
【００１７】
【図１】この例にかかるＡＶレシーバの主要部の構成を示すブロック図である。
【図２】自動再生設定データを示す図である。
【図３】ＡＶレシーバの動作を示すフローチャートである。
【図４】自動再生要否判定処理を示すフローチャートである。
【発明を実施するための形態】
【００１８】
以下、この発明の実施形態であるコンテンツ再生装置について説明する。
【００１９】
図１は、この例にかかるＡＶレシーバの主要部の構成を示すブロック図である。ＡＶレシーバ１が、この発明で言うコンテンツ再生装置に相当する。ＡＶレシーバ１は、複数のコンテンツの入力元と接続できる。ＡＶレシーバ１は、コンテンツの入力元の選択を受け付け、選択された入力元から入力されているコンテンツの再生信号を出力する。コンテンツの入力元は、ＶＣＲ（ビデオ・カセット・レコーダ）、ディスク再生装置、ＳＴＢ（Set Top Box）、ＤＬＮＡ（Digital Living NetworkAlliance）サーバ（登録商標）、Ｗｅｂサーバ、ＵＳＢ等である。
【００２０】
図１に示すように、ＡＶレシーバ１は、制御部２と、記憶部３と、操作・表示部４と、リモコン受信部５と、音声信号出力部６と、映像信号出力部７と、セレクタ８と、音声信号処理部９と、映像信号処理部１０と、アナログ外部入力部１１と、デジタル外部入力部１２と、ネットワーク接続部１３と、ＵＳＢ入力部１４と、チューナ１５と、Ａ／Ｄ変換部１６と、を備えている。
【００２１】
制御部２は、ＡＶレシーバ１本体の動作を制御する。詳細については後述するが、制御部２は、判定部２ａ、および自動再生制御部２ｂを有する。
【００２２】
アナログ外部入力部１１、デジタル外部入力部１２、ネットワーク接続部１３、およびＵＳＢ入力部１４には、コンテンツの入力元になる機器が接続される。アナログ外部入力部１１には、例えばＶＣＲ（ビデオ・カセット・レコーダ）が接続される。デジタル外部入力部１２には、例えばディスク再生装置や、ＳＴＢ（Set Top Box）が接続される。ネットワーク接続部１３には、例えばラジオ放送をストリーミングでインタネット配信しているＷｅｂサーバや、クラシック、ポップス、ロック等の音楽をストリーミングでインタネット配信しているＷｅｂサーバや、映画やドラマ等をストリーミングでインタネット配信しているＷｅｂサーバや、ＤＬＮＡサーバ（登録商標）等が接続される。ＵＳＢ入力部１４には、コンテンツを記録したＵＳＢメモリが接続される。
【００２３】
なお、コンテンツの入力元になる機器は、上記した機器に限らず、他の種類の機器（例えば、ＳＤメモリカード、ハードディスク、スマートフォン等）が接続できる構成であってもよい。また、アナログ外部入力部１１、デジタル外部入力部１２、およびネットワーク接続部１３に接続される機器は、例示した機器に限定されるものではない。
【００２４】
チューナ１５は、ＦＭ放送などを受信し、再生する。
【００２５】
Ａ／Ｄ変換部１６は、アナログ外部入力部１１に入力されたコンテンツのアナログ信号を、デジタル信号に変換し、セレクタ８に入力する。デジタル外部入力部１２、ネットワーク接続部１３、およびＵＳＢ入力部１４は、入力されたコンテンツのデジタル信号をセレクタ８に入力する。チューナ１５は、受信したＦＭ放送にかかるコンテンツのデジタル信号をセレクタ８に入力する。
【００２６】
セレクタ８に入力されるコンテンツのデジタル信号は、オーディオ信号、およびビデオ信号の少なくとも一方を含んでいる信号である。すなわち、セレクタ８に入力されるコンテンツのデジタル信号は、オーディオ信号、およびビデオ信号を含んでいてもよいし、オーディオ信号を含まないビデオ信号のみであってもよいし、ビデオ信号を含まないオーディオ信号のみであってもよい。
【００２７】
セレクタ８は、制御部２からの指示にしたがってコンテンツの入力元を選択する。また、セレクタ８は、制御部２からの指示にしたがって、その時点において選択している入力元から入力されたコンテンツのオーディオ信号、およびビデオ信号を出力する。
【００２８】
制御部２は、セレクタ８に対してコンテンツの入力元の選択指示と、その時点において選択している入力元から入力されたコンテンツのオーディオ信号、およびビデオ信号の出力指示と、を個別に行う。すなわち、セレクタ８は、制御部２からの指示にしたがってコンテンツの入力元を選択しても、制御部２からオーディオ信号、およびビデオ信号の出力指示が無ければ、オーディオ信号、およびビデオ信号を出力しない。
【００２９】
音声信号処理部９には、セレクタ８から出力されたオーディオ信号が入力される。音声信号処理部９は、入力されたオーディオ信号に対して音質等を調整する処理を行う。
【００３０】
映像信号処理部１０には、セレクタ８から出力されたビデオ信号が入力される。映像信号処理部１０は、入力されたビデオ信号に対して画質等を調整する処理を行う。
【００３１】
音声信号出力部６には、スピーカ（不図示）が接続される。音声信号処理部９で処理された音声信号（アナログ信号）は、音声信号出力部６を介してスピーカに入力される。また、映像信号出力部７には、表示装置（不図示）が接続される。映像信号処理部１０で処理された映像信号（デジタル信号、またはアナログ信号）は、映像信号出力部７を介して表示装置に入力される。音声信号出力部６、および映像信号出力部７が、この発明で言う出力部に相当する。音声信号出力部６から出力する音声信号、および映像信号出力部７から出力する映像信号が、この発明で言うコンテンツの再生信号である。
【００３２】
リモコン受信部５は、図示していないリモコンから送信されてきたリモコン信号（赤外線信号）を受信する。また、リモコン受信部５は、受信したリモコン信号を解析し、ＡＶレシーバ１本体に対するコマンドコードを判断する。リモコン受信部５は、判断したコマンドコードを制御部２に入力する。制御部２は、リモコン受信部５から入力されたコマンドコードに応じて、ＡＶレシーバ１本体の動作を制御する。
【００３３】
また、操作・表示部４は、ユーザによるキー操作に応じた画面を表示するとともに、このキー操作に応じたコマンドコードを制御部２に入力する。制御部２は、操作・表示部４から入力されたコマンドコードに応じて、ＡＶレシーバ１本体の動作を制御する。
【００３４】
操作・表示部４、およびリモコン受信部５が、この発明で言う選択受付部に相当する。
【００３５】
記憶部３は、ＡＶレシーバ１本体の動作時に使用するモードデータ、および自動再生設定データ等を記憶する。モードデータは、コンテンツの自動再生の要否の判定を、以下に示す自動モード、または手動モードのどちらで行うかを示すデータである。ここで言うコンテンツの自動再生とは、選択されている入力元から入力されているコンテンツについて、再生開始にかかるユーザの操作を待つことなく、再生を自動的に開始することである。
【００３６】
自動モードは、コンテンツの自動再生の要否を、記憶部３に記憶している自動再生設定データを用いないで判定するモードである。手動モードは、コンテンツの自動再生の要否を、記憶部３に記憶している自動再生設定データを用いて判定するモードである。制御部２の判定部２ａは、ＡＶレシーバ１本体の電源オン時や、コンテンツの入力元の選択を受け付けたときに、コンテンツの自動再生の要否を判定する。コンテンツの自動再生の要否を手動モードで判定する処理が、この発明で言う第１の判定処理に相当する。コンテンツの自動再生の要否を自動モードで判定する処理が、この発明で言う第２の判定処理に相当する。また、制御部２の自動再生制御部２ｂは、判定部２ａがコンテンツの自動再生要と判定したときに、オーディオ信号、およびビデオ信号の出力をセレクタ８に指示する。
【００３７】
図２は、記憶部が記憶する自動再生設定データを示す図である。自動再生設定データは、図２に示すように、コンテンツの入力元と、コンテンツの再生形態と、自動再生の要否と、を対応付けたデータである。図２に示す例では、アナログ外部入力部１１、デジタル外部入力部１２、ＤＬＮＡサーバ（登録商標）、ＮＥＴ  ＲＡＤＩＯ、ストリーミングサービス、ＵＳＢ入力部１４、およびチューナ１５が、コンテンツの入力元として設定されている。ＤＬＮＡサーバ（登録商標）、ＮＥＴ  ＲＡＤＩＯ、およびストリーミングサービスは、ネットワーク接続部１３に接続されるコンテンツの入力元である。
【００３８】
また、アナログ外部入力部１１、デジタル外部入力部１２、ＤＬＮＡサーバ（登録商標）、ＮＥＴ  ＲＡＤＩＯ、ＵＳＢ入力部１４、およびチューナ１５は、コンテンツの再生形態で分類することなく、コンテンツの自動再生の要否を対応付けている。また、ストリーミングサービスは、プレイリスト、アルバム、フォルダ、ラジオ等の再生形態別に、自動再生の要否を対応付けている。プレイリストは、指定されたプレイリストに登録されているコンテンツを順次再生する再生形態である。アルバムは、指定されたアルバムに登録されているコンテンツを順次再生する再生形態である。フォルダは、指定されたフォルダに登録されているコンテンツを順次再生する再生形態である。ラジオは、コンテンツである楽曲をエンドレスで再生しつづける再生形態である。
【００３９】
なお、自動再生設定データは、アナログ外部入力部１１、デジタル外部入力部１２、ＤＬＮＡサーバ（登録商標）、ＮＥＴ  ＲＡＤＩＯ、ＵＳＢ入力部１４、およびチューナ１５についても、ストリーミングサービスと同様に、コンテンツの再生形態別に、自動再生の要否を対応付けたものとしてもよい。また、ストリーミングサービスは、コンテンツの再生形態で分類することなく、コンテンツの自動再生の要否を対応付けたものとしてもよい。
【００４０】
ユーザは、リモコン（不図示）、または操作・表示部４において所定の操作を行うことで、記憶部３が記憶しているモードデータの設定変更や、記憶部３が記憶している自動再生設定データの設定変更が行える。モードデータの設定変更は、選択するモードを自動モード、または手動モードの一方に設定する操作である。自動再生設定データの設定変更は、入力元、または再生形態別に、自動再生の要否を設定する操作である。すなわち、ユーザは、記憶部３が記憶するモードデータ、および自動再生設定データを自由に変更できる。
【００４１】
図３は、ＡＶレシーバの動作を示すフローチャートである。制御部２は、ＡＶレシーバ１本体の電源がオンされると（ｓ１）、コンテンツの入力元をセレクタ８に指示する（ｓ２）。ｓ２では、例えば、前回の電源オフ時に選択していた入力元をセレクタ８に指示してもよいし、予め定められている入力元をセレクタ８に指示してもよい。セレクタ８は、制御部２からの指示にしたがってコンテンツの入力元を選択する。
【００４２】
なお、セレクタ８は、この時点では、今回選択した入力元から入力されているコンテンツのオーディオ信号、およびビデオ信号を出力しない。
【００４３】
制御部２の判定部２ａが、ｓ２で選択した入力元から入力されているコンテンツについて、自動再生の要否を判定する自動再生要否判定処理を行う（ｓ３）。この自動再生要否判定処理の詳細については後述する。
【００４４】
制御部２は、自動再生要否判定処理で自動再生要であると判定すると、ｓ２で選択した入力元から入力されているコンテンツの再生を開始する（ｓ４、ｓ５）。ｓ５では、制御部２の自動再生制御部２ｂが、コンテンツのオーディオ信号、およびビデオ信号の出力をセレクタ８に指示する。セレクタ８は、この指示にしたがって、この時点で選択している入力元から入力されているコンテンツのオーディオ信号、およびビデオ信号の出力を開始する。これにより、音声信号出力部６において、コンテンツのオーディオ信号の出力が開始されるとともに、映像信号出力部７において、コンテンツのビデオ信号の出力が開始される。
【００４５】
制御部２は、ｓ５でコンテンツの再生を開始すると、ＡＶレシーバ１本体に対する入力を待つ（ｓ６）。また、制御部２は、判定部２ａが自動再生要否判定処理で自動再生否であると判定すると、ｓ５でコンテンツの再生を開始することなく、ｓ６でＡＶレシーバ１本体に対するユーザの入力を待つ。
【００４６】
ｓ６では、操作・表示部４、およびリモコン受信部５で、ユーザの入力を受け付ける。
【００４７】
制御部２は、ＡＶレシーバ１本体の電源オフにかかるユーザの入力を受け付けると、電源オフ処理を行って、本処理を終了する（ｓ７、ｓ１２）。
【００４８】
また、制御部２は、コンテンツの入力元の選択にかかるユーザの入力を受け付けると、今回受け付けたコンテンツの入力元をセレクタ８に指示する（ｓ８、ｓ９）。セレクタ８は、制御部２からの指示にしたがってコンテンツの入力元を選択する。
【００４９】
なお、セレクタ８は、この時点では、今回選択した入力元から入力されているコンテンツのオーディオ信号、およびビデオ信号を出力しない。
【００５０】
判定部２ａが、ｓ９で選択した入力元から入力されているコンテンツについて、自動再生の要否を判定する自動再生要否判定処理を行い（ｓ１０）、ｓ４に戻る。ｓ１０は、ｓ３と同じ処理であり、詳細については後述する。
【００５１】
また、制御部２は、上述したＡＶレシーバ１本体の電源オフ、およびコンテンツの入力元の選択以外にかかるユーザの入力を受け付けると、その入力に応じた処理（その他の処理）を行い（ｓ１１）、ｓ６に戻る。ＡＶレシーバ１本体の電源オフ、およびコンテンツの入力元の選択以外の入力は、例えば、コンテンツの再生開始、コンテンツの再生停止、記憶部３が記憶しているモードデータの設定変更、記憶部３が記憶している自動再生設定データの設定変更である。
【００５２】
次に、ｓ３、およびｓ１０の自動再生要否判定処理について説明する。図４は、自動再生要否判定処理を示すフローチャートである。制御部２の判定部２ａが、この自動再生要否判定処理を実行する。判定部２ａは、ｓ１における今回の電源オンが、タイマー予約によるものであるかどうかを判定する（ｓ２１）。タイマー予約には、目覚まし、録音予約、録画予約等がある。
【００５３】
判定部２ａは、今回の電源オンがタイマー予約によるものであると判定すると、コンテンツの自動再生要と判定し（ｓ２５）、本処理を終了する。
【００５４】
判定部２ａは、今回の電源オンがタイマー予約によるものでないと判定すると、記憶部３が記憶するモードデータに基づいて、この時点において選択されているモードが、自動モードであるか、手動モードであるかを判定する（ｓ２２）。判定部２ａは、自動モードであると判定すると、今回選択したコンテンツの入力元が、外部入力であるかどうかを判定する（ｓ２３）。ここで言う外部入力とは、アナログ外部入力部１１に接続されている機器、およびデジタル外部入力部１２に接続されている機器である。判定部２ａは、今回選択したコンテンツの入力元が、アナログ外部入力部１１に接続されている機器、またはデジタル外部入力部１２に接続されている機器であれば、外部入力であると判定する。一方、判定部２ａは、今回選択したコンテンツの入力元が、ネットワーク接続部１３に接続されている機器、ＵＳＢ入力部１４に接続されている機器、またはチューナ１５のいずれかであれば、外部入力でないと判定する。
【００５５】
判定部２ａは、外部入力であると判定すると、ｓ２５でコンテンツの自動再生要と判定し、本処理を終了する。
【００５６】
判定部２ａは、外部入力でないと判定すると、今回選択した入力元から入力されているコンテンツの再生形態が、コンテンツをエンドレスで再生しつづける再生形態であるか、予め決められた単位で再生が終了する再生形態であるかを判定する（ｓ２４）。コンテンツをエンドレスで再生しつづける再生形態には、ＮＥＴ  ＲＡＤＩＯ、ストリーミングサービスのラジオ等の再生形態、チューナ１５で受信しているＦＭ放送がある。また、予め決められた単位でコンテンツの再生が終了する再生形態には、ストリーミングサービスのプレイリスト、アルバム、フォルダ等がある。
【００５７】
判定部２ａは、今回選択した入力元から入力されているコンテンツの再生形態が、コンテンツをエンドレスで再生しつづける再生形態であると判定すると、ｓ２５でコンテンツの自動再生要と判定し、本処理を終了する。エンドレスで再生しつづける再生形態のコンテンツは、ＢＧＭとして利用するユーザが多いことから、この例では、ｓ２５でコンテンツの自動再生要と判定する構成にしている。一方、判定部２ａは、今回選択した入力元から入力されているコンテンツの再生形態が、コンテンツをエンドレスで再生しつづける再生形態でないと判定すると（予め決められた単位でコンテンツの再生が終了する再生形態であると判定すると）、コンテンツの自動再生否と判定し（ｓ２６）、本処理を終了する。
【００５８】
なお、この例は、タイマー予約による電源オンを、自動再生要と判定する状況としたものであるが、タイマー予約による電源オン以外にも、自動再生要と判定する状況が設定されていてもよい。
【００５９】
また、判定部２ａは、ｓ２２で手動モードであると判定すると、今回選択したコンテンツの入力元が、再生形態別の設定がある入力元であるかどうかを判定する（ｓ３１）。判定部２ａは、記憶部３が記憶する自動再生設定データに基づいて判定する。図２に示す例では、判定部２ａは、今回選択したコンテンツの入力元がストリーミングサービスであれば、再生形態別の設定がある入力元であると判定する。また、判定部２ａは、今回選択したコンテンツの入力元が外部入力、ＤＬＮＡサーバ（登録商標）、ＮＥＴ  ＲＡＤＩＯ、ＵＳＢ入力部１４、チューナ１５のいずれかであると、再生形態別の設定がない入力元であると判定する。
【００６０】
判定部２ａは、再生形態別の設定がある入力元であると判定すると、今回選択した入力元から入力されているコンテンツの再生形態が、自動再生要に設定されているか、自動再生否に設定されているかを判定する（ｓ３２）。判定部２ａは、記憶部３が記憶する自動再生設定データに基づいて判定する。判定部２ａは、今回選択した入力元から入力されているコンテンツの再生形態が、自動再生要に設定されていると、自動再生要と判定し（ｓ３４）、本処理を終了する。判定部２ａは、今回選択した入力元から入力されているコンテンツの再生形態が、自動再生否に設定されていると、自動再生否と判定し（ｓ３５）、本処理を終了する。
【００６１】
また、判定部２ａは、再生形態別の設定がない入力元であると判定すると、今回選択した入力元が、自動再生要に設定されているか、自動再生否に設定されているかを判定する（ｓ３３）。判定部２ａは、記憶部３が記憶する自動再生設定データに基づいて判定する。判定部２ａは、今回選択した入力元が、自動再生要に設定されていると、自動再生要と判定し（ｓ３４）、本処理を終了する。判定部２ａは、今回選択した入力元が、自動再生否に設定されていると、自動再生否と判定し（ｓ３５）、本処理を終了する。
【００６２】
なお、ｓ２２〜ｓ２６にかかる処理が、この発明で言う第２の判定処理に相当し、ｓ３１〜ｓ３５にかかる処理が、この発明で言う第１の判定処理に相当する。
【００６３】
このように、この例のＡＶレシーバ１は、そのコンテンツの入力元や、コンテンツの再生形態に応じて、コンテンツの自動再生の要否を判定する。また、ユーザが使い勝手にあわせて、コンテンツの自動再生の要否を細かく設定できる。したがって、ユーザは、自身の視聴スタイルにあわせて、コンテンツの自動再生の要否を設定することができる。
【００６４】
また、この例のＡＶレシーバ１は、ハードウェアの追加を必要としない、ソフトウェアの変更で実現できる。
【００６５】
また、本実施形態のＡＶレシーバ１の一部の構成を、ＡＶレシーバ１のコントローラ（例えば、スマートフォンやＰＣ上で動作するコントローラアプリや専用制御端末など）に持たせた構成にしてもよい。例えば、以下に示すような構成にしてもよい。
コントローラ内のメモリに自動再生設定データを記憶し、コントローラが自動再生要否の判定処理（図４に示した処理）を行う。コントローラは、自動再生要否の判定結果をＡＶレシーバ１に送信する。ＡＶレシーバ１は、コントローラから送信されてきた自動再生要否の判定結果が自動再生要であれば、コンテンツの再生を開始する。ＡＶレシーバ１は、コントローラから送信されてきた自動再生要否の判定結果が自動再生否であれば、コンテンツの再生を開始しない。
【００６６】
なお、本願発明が適用できる装置は、上述したＡＶレシーバ１に限るものではなない。本願発明は、ＡＶアンプ、オーディオアンプ（音楽再生用のアンプ）、一体型スピーカ（音楽データの再生部、アンプ、スピーカユニットを一体構成した装置）等、様々な機器に適用できる。
【符号の説明】
【００６７】
１…ＡＶレシーバ
２…制御部
２ａ…判定部
２ｂ…自動再生制御部
３…記憶部
４…操作・表示部
５…リモコン受信部
６…音声信号出力部
７…映像信号出力部
８…セレクタ
９…音声信号処理部
１０…映像信号処理部
１１…アナログ外部入力部
１２…デジタル外部入力部
１３…ネットワーク接続部
１４…ＵＳＢ入力部
１５…チューナ
１６…Ａ／Ｄ変換部
【図１】
0006733730.tif 000002
【図２】
0006733730.tif 000003
【図３】
0006733730.tif 000004
【図４】
0006733730.tif 000005